(57)【特許請求の範囲】
【請求項１】
扱室を固定枠体と可動枠体に分割し、可動枠体を固定枠体の扱き口と反対側に設けた回動支点軸で上下に開閉可能とした脱穀機において、上記可動枠体を固定枠体に固定するロック装置を設けると共に、該ロック装置が係脱するロックピンを、固定枠体の後側板に形成した排稈口の扱き口と反対側の側方に設け、該ロックピンを、可動枠体の上方への開動を補助するガスシリンダの支点軸に兼用したことを特徴とする脱穀機の扱室構造。
【発明の詳細な説明】
【０００１】
【発明の属する技術分野】
本発明は、扱室を固定枠体と可動枠体に分割して、可動枠体を固定枠体の上端部に設けた回動支点軸で上下に開閉可能とした脱穀機における扱室構造に係るものである。
【０００２】
【従来の技術】
一般に、コンバイン等に搭載される脱穀機には、扱室内の点検、掃除等を容易にするため、扱室を固定枠体と可動枠体とに分割して、固定枠体の上端部に設けた回動支点軸で可動枠体を上下に開閉可能としたものが知られている。
【０００３】
このような脱穀機においては、閉状態とした可動枠体を固定枠体に固定するため、可動枠体に設けたロック装置を固定枠体の後側板に設けたロックピンに係脱させている。
【０００４】
【発明が解決しようとする課題】
ところが固定枠体の後側板には、可動枠体を閉じた脱穀作業時に、脱穀済みの穀稈を後方に排出する排稈口が形成されているので、従来は、ロック装置が係脱するロックピンを、この排稈口よりも上方に設けていた。
【０００５】
このため、ロックピンの位置が可動枠体の回動支点軸に近くなるので、ロック装置をこのロックピンに係合させても、ロック力が弱くて可動枠体を的確に固定できないという問題があった。
【０００６】
本発明は上記の如き問題点を解消すべく創作されたものであって、扱室を固定枠体と可動枠体とに分割した脱穀機であっても、可動枠体に設けたロック装置を固定枠体に設けたロックピンに係脱させて、閉状態の可動枠体を確実に固定することができる脱穀機の扱室構造を提供することを目的としたものである。
【０００７】
【課題を解決するための手段】
上記の課題を解決するため、本発明が講じた技術的手段は、扱室を固定枠体と可動枠体に分割し、可動枠体を固定枠体の扱き口と反対側に設けた回動支点軸で上下に開閉可能とした脱穀機において、上記可動枠体を固定枠体に固定するロック装置を設けると共に、該ロック装置が係脱するロックピンを、固定枠体の後側板に形成した排稈口の扱き口と反対側の側方に設け、該ロックピンを、可動枠体の上方への開動を補助するガスシリンダの支点軸に兼用したことを特徴とするものである。
【０００８】
【発明の実施の形態】
次に本発明の実施の形態を図面に示された一実施例に基いて詳細に説明する。
まず図１、図２において、１はコンバインの走行機体等に搭載可能な脱穀機であって、機体の前部にある図示しない刈取部の後方に脱穀部２が配設されており、脱穀部２の下方から後方に向けて選別部３が設けられている。そして、脱穀部２を構成する扱室４内には扱胴５が前後方向に軸支されていて、刈取られた穀稈が供給口６に供給されると、この穀稈の株元側を、扱き口７に沿って配設したフィードチェン８と挟持レール９とが挟持して搬送し、その搬送過程で回転駆動される扱胴５が脱穀処理し、受網から漏下した穀粒及び夾雑物等は選別部３で選別されて穀粒は回収され、藁屑等の夾雑物は機体後方へ放出される。
【０００９】
上記選別部３の上方でかつ脱穀部２の後方には、機体の一側前方から他側後方に向けて排藁チェーン１０を巻回した排藁搬送体１１が横架されており、機体前方からフィードチェン８と挟持レール９とで搬送されてきた脱穀処理後の排藁を、上記排藁搬送体１１が受継いで機体の後部に装着された排藁カッタ１２に供給するようになっている。
【００１０】
前記扱室４は、図３〜図４に示すように、機体側に固定される固定枠体１３と上下に開閉可能な可動枠体１４とに上下二分割状に形成されている。すなわち固定枠体１３の扱き口７と反対側の上端部一側には、可動枠体１４の回動基端側を軸支する回動支点軸１５が支点フレーム１６を介して配設されていて、この回動支点軸１５を中心として可動枠体１４が上下に開閉可能となっている。また可動枠体１４内には側板１７、１８を貫通する扱胴軸１９を介して前記扱胴５が回転自在に軸支されている。２０は可動枠体１４の天板である。なお前記排藁搬送体１１も可動枠体１４の開閉に連動して上下に回動するものである。
【００１１】
また、固定枠体１３の後側板２１には、排稈口２２が円弧状に形成されていて、可動枠体１４を閉じた作業時には、可動枠体１４の側板１８により半円状に仕切られた排稈口２２を通って脱穀処理後の排稈が後方に搬送されて、排藁搬送体１１で受継がれるようになっている。
【００１２】
そして可動枠体１４には、固定枠体１３に設けたロックピン２３に係合して閉状態の可動枠体１４を固定するロック装置２４が設けられている。すなわち、可動枠体１４に枢支された操作レバー２５が、リンク機構２６を介してロッド２７の一端に連結され、ロッド２７の他端にはロック具２８が連結されている。このロック具２８は、可動枠体１４の扱胴軸１９近傍位置に上下回動自在に枢支されており、その先端にはロックピン２３に下方から係合するフック部２９が形成されている。３０はフック部２９をロックピン２３と係合する方向に付勢するスプリングである。
【００１３】
一方、固定枠体１３の後側板２１には、穂先側から排稈口２２の内側に向けて膨出した出っ張り部３１を設け、この出っ張り部３１にロックピン２３を設けることにより、ロックピン２３が排稈口２２の扱き口７と反対側の側方に位置するようになっている。
【００１４】
また、３２は可動枠体１４の上方への回動を補助するガスシリンダであって、その基端側が固定枠体１３に連結され、先端側が可動枠体１４に連結されている。そしてガスシリンダ３２を固定枠体１３に連結する支点軸３３が上記ロックピン２３で兼用されている。
【００１５】
上記の如き構成において、扱室１内部の点検、掃除等する際に、可動枠体１４を扱胴２とともに上方に開けば、点検作業等を容易に行うことができる。
【００１６】
そして通常の作業を行うため、可動枠体１４を閉じ、ついでロック具２８に形成されたフック部２９をロックピン２３に係合させて可動枠体１４を固定したときには、ロックピン２３が排稈口２２の扱き口７と反対側の側方にあるので、従来のようにロックピンを排稈口２２の上方に設けたものに比べて、ロックピン２３の位置が可動枠体１４の回動支点軸１５から離れた位置となる。このため、フック部２９をロックピン２３に係合させたときのロック力が従来よりも大きくなって、可動枠体１４を確実にロックすることができる。
【００１７】
また、固定枠体１３の後側板２１に、排稈口２２の内側に向けて膨出した出っ張り部３１を設け、この出っ張り部３１にロックピン２３を設けたので、後側板２１に円弧状の排稈口２２が形成してあっても、出っ張り部３１が補強部材となって、後側板２１の強度をアップすることができ、しかも、この出っ張り部３１によって、排稈口２２の奥、すなわち穂先側にはクサビ状に縮小する鋭角部がなくなるので、脱穀後の排稈は排稈口２２への引掛かっりが少なくなって円滑に搬送される。
【００１８】
さらに、この出っ張り部３１にロックピン２３を設けたので、ロックピン２３に係合したロック装置２４のフック部２９が排稈口２２側に入り込んで排稈口２２を通過する搬送穀稈に接触して、ササリ粒を落とすことができる。
【００１９】
そして出っ張り部３１に設けたロックピン２３を、可動枠体１４の回動を補助するガスシリンダ３２の支点軸３３に兼用できるので、ガスシリンダ３２を取付ける際に必要な部品点数を削減することができ、さらに、ガスシリンダ３２の配置スペースを小さくすることができる。
【００２０】
【発明の効果】
これを要するに本発明は、扱室を固定枠体と可動枠体に分割し、可動枠体を固定枠体の扱き口と反対側に設けた回動支点軸で上下に開閉可能とした脱穀機において、上記可動枠体を固定枠体に固定するロック装置を設けると共に、該ロック装置が係脱するロックピンを、固定枠体の後側板に形成した排稈口の扱き口と反対側の側方に設け、該ロックピンを、可動枠体の上方への開動を補助するガスシリンダの支点軸に兼用したことから、排稈口の側方に設けたロックピンの位置が、固定枠体に設けた可動枠体の回動支点軸の位置から、従来のものに比べて離れた位置となるので、可動枠体に設けたロック装置をロックピンに係合させたときのロック力が大きくなって、可動枠体を確実にロックすることができる。
【００２２】
そして、ロック装置が係脱するロックピンを、ガスシリンダの支点軸に兼用できるので、ガスシリンダを取付ける際の部品点数を削減することができ、さらにガスシリンダの配置スペースを小さくすることができる。
【図面の簡単な説明】
【図１】脱穀機の平面図である。
【図２】同上側面図である。
【図３】可動枠体をロックした状態の扱室の縦断後面図である。
【図４】可動枠体を開いた状態の扱室の縦断後面図である。
【図５】ロック部分の拡大後面図である。
【符号の説明】
４      扱室
７      扱き口
１３    固定枠体
１４    可動枠体
１５    回動支点軸
２１    後側板
２２    排稈口
２３    ロックピン
２４    ロック装置
【図１】
0004646450.tif 000002
【図２】
0004646450.tif 000003
【図３】
0004646450.tif 000004
【図４】
0004646450.tif 000005
【図５】
0004646450.tif 000006